(57)【要約】【課題】製造時の作業性が良く、品質を安定させることができ、使用時の振動によっても素子やリード線、芯線、結線部分の破損、断線等を防止でき、耐振性・耐久性を向上させることができるシース型測温抵抗体、これに用いるホルダーブロック、及びシース型測温抵抗体の製造方法を提供せんとする。【解決手段】シースケーブル２先端から所定長さに剥き出された芯線２０の端部に、基端方向に突出している測温抵抗素子３のリード線３０の端部を結線し、当該測温抵抗素子３、リード線３０及び結線部１０に対して絶縁材よりなるホルダーブロック４を外装し、更にホルダーブロック４を覆う金属製の筒体５を外装した。【選択図】図１
2015219102.tif 000002
【特許請求の範囲】
【請求項１】
シースケーブルの芯線と測温抵抗素子のリード線とを結線することで、シースケーブルの先端部に測温抵抗素子を設けてなるシース型測温抵抗体において、
前記シースケーブルの先端から所定長さに剥き出された芯線の端部に、基端方向に突出している測温抵抗素子のリード線の端部を結線し、
前記測温抵抗素子が収容される側方に開放された半割り状の凹溝部を備え、且つ前記測温抵抗素子、リード線及びリード線と芯線との結線部に渡る長さを有する絶縁材よりなるホルダーブロックを、当該測温抵抗素子、リード線及び結線部に外装し、
前記ホルダーブロックを覆う金属製の筒体を該ホルダーブロックに外装するとともに、該筒体の基端部を前記シースケーブルの先端部に溶接接合し、
前記筒体の先端側の開口部を封止してなることを特徴とするシース型測温抵抗体。
【請求項２】
前記シースケーブルの先端部の内側に、当該先端から所定の深さだけ絶縁粉末を取り除いてなる空隙部を設け、前記測温抵抗素子、リード線及び結線部に外装されるホルダーブロック基端側部分を前記空隙部に挿着してなる請求項１記載のシース型測温抵抗体。
【請求項３】
前記筒体の内周面が、前記ホルダーブロックの外周面にほぼ密着する形状である請求項１又は２記載のシース型測温抵抗体。
【請求項４】
前記凹溝部に対し、前記測温抵抗素子を少なくとも軸方向に移動不能に係合又は接着してなる請求項１〜３の何れか１項に記載のシース型測温抵抗体。
【請求項５】
前記凹溝部が、前記測温抵抗素子が側方から挿入される素子収容溝と、前記リード線が側方から挿入されるリード線収容溝と、前記結線部が側方から挿入される結線部収容溝と、前記芯線が側方から挿入される基端側が開放された芯線収容溝とが連続的に形成された連通溝からなり、当該凹溝部に対して前記測温抵抗素子、リード線および結線部が軸方向に移動不能に係合される請求項４記載のシース型測温抵抗体。
【請求項６】
前記凹溝部の側方の開放部分を塞ぎ、当該ホルダーブロックと組み合わせることで前記筒体の内周面に外周面がほぼ密着する円柱形状を為す同じく絶縁材よりなる半割状の蓋材を設けてなる請求項５記載のシース型測温抵抗体。
【請求項７】
前記凹溝部が、軸方向にわたりほぼ均一な内面形状を有する半割り状の部分円筒体よりなる先端開放溝であり、前記凹溝部の内面に前記測温抵抗素子が耐熱性の接着材で接着されるとともに、該ホルダーブロックが前記凹溝部より基端側に筒状のベース部を有してなる請求項４記載のシース型測温抵抗体。
【請求項８】
前記ホルダーブロックが、前記絶縁材の粉末成形体である請求項１〜７の何れか１項に記載のシース型測温抵抗体。
【請求項９】
前記絶縁材が、窒化ホウ素又は窒化ホウ素と絶縁性金属酸化物との混合物よりなる請求項８記載のシース型測温抵抗体。
【請求項１０】
前記測温抵抗素子、リード線及び結線部を収容した前記凹溝部の内側の隙間に、絶縁粉末を充填してなる請求項１〜９の何れか１項に記載のシース型測温抵抗体。
【請求項１１】
請求項１記載のシース型測温抵抗体に用いるホルダーブロックであって、
前記測温抵抗素子が収容される側方に開放された半割り状の凹溝部を備え、
前記測温抵抗素子、リード線及び結線部に渡る長さを有する、
絶縁材よりなるホルダーブロック。
【請求項１２】
外周面が、前記筒体の内周面にほぼ密着する形状である請求項１１記載のホルダーブロック。
【請求項１３】
前記凹溝部が、前記測温抵抗素子が側方から挿入される素子収容溝と、前記リード線が側方から挿入されるリード線収容溝と、前記結線部が側方から挿入される結線部収容溝と、前記芯線が側方から挿入される基端側が開放された芯線収容溝とが連続的に形成された連通溝からなり、
当該凹溝部に対して前記測温抵抗素子、リード線および結線部が軸方向に移動不能に係合される請求項１１又は１２記載のホルダーブロック。
【請求項１４】
前記凹溝部が、軸方向にわたりほぼ均一な内面形状を有する半割り状の部分円筒体よりなる先端開放溝であり、前記凹溝部の内面に前記測温抵抗素子が耐熱性の接着材で接着されるとともに、
前記凹溝部より基端側に筒状のベース部を有してなる請求項１１又は１２記載のホルダーブロック。
【請求項１５】
前記絶縁材の粉末成形体である請求項１１〜１４の何れか１項に記載のホルダーブロック。
【請求項１６】
前記絶縁材が、窒化ホウ素又は窒化ホウ素と絶縁性金属酸化物との混合物よりなる請求項１５記載のホルダーブロック。
【請求項１７】
シースケーブルの芯線と測温抵抗素子のリード線とを結線することで、シースケーブルの先端部に測温抵抗素子を設けてなるシース型測温抵抗体の製造方法において、
前記シースケーブルの先端から所定長さに剥き出された芯線の端部に、基端方向に突出している測温抵抗素子のリード線の端部を結線し、
前記測温抵抗素子が収容される側方に開放された半割り状の凹溝部を備え、且つ前記測温抵抗素子、リード線及びリード線と芯線との結線部に渡る長さを有する絶縁材よりなるホルダーブロックを、当該測温抵抗素子、リード線及び結線部に外装し、
前記ホルダーブロックを覆う金属製の筒体を該ホルダーブロックに外装するとともに、該筒体の基端部を前記シースケーブルの先端部に溶接接合し、
前記筒体の先端側の開口部を封止することを特徴とするシース型測温抵抗体の製造方法。
【請求項１８】
前記シースケーブルの先端部の内側に、当該先端から所定の深さだけ絶縁粉末を取り除いてなる空隙部を設けておき、
前記ホルダーブロックを測温抵抗素子、リード線及び結線部に外装する際、該ホルダーブロックの基端側部分を前記空隙部に挿着する請求項１７記載のシース型測温抵抗体の製造方法。
【請求項１９】
前記ホルダーブロックを測温抵抗素子、リード線及び結線部に外装することにより、前記凹溝部に対し前記測温抵抗素子を少なくとも軸方向に移動不能に係合又は接着させる請求項１７又は１８記載のシース型測温抵抗体の製造方法。
【請求項２０】
前記凹溝部が、前記測温抵抗素子が側方から挿入される素子収容溝と、前記リード線が側方から挿入されるリード線収容溝と、前記結線部が側方から挿入される結線部収容溝と、前記芯線が側方から挿入される基端側が開放された芯線収容溝とが連続的に形成された連通溝からなり、
前記ホルダーブロックを測温抵抗素子、リード線及び結線部に外装することにより、前記凹溝部に対し前記測温抵抗素子、リード線および結線部を軸方向に移動不能に係合させる請求項１９記載のシース型測温抵抗体の製造方法。
【請求項２１】
前記ホルダーブロックを測温抵抗素子、リード線及び結線部に外装した後、前記凹溝部の側方の開放部分を塞ぎ且つ当該ホルダーブロックと組み合わせることで前記筒体の内周面に外周面がほぼ密着する円柱形状を為す同じく絶縁材よりなる半割状の蓋材を設け、これらホルダーブロック及び蓋材に対して前記筒体を外装する請求項１７〜２０の何れか１項に記載のシース型測温抵抗体の製造方法。
【請求項２２】
前記シースケーブルの先端部の内側に、当該先端から所定の深さだけ絶縁粉末を取り除いてなる空隙部を設けておき、
前記ホルダーブロックを測温抵抗素子、リード線及び結線部に外装する際、該ホルダーブロックの基端側部分を前記空隙部に挿着し、
その後、前記蓋材をホルダーブロックの前記開放部分に被せて組み合わせる際、該蓋材の基端側部分を前記空隙部に挿着し、
双方の基端側部分が前記空隙部に挿着された状態で組み合わされたホルダーブロック及び蓋材に対し、前記筒体を外装する請求項２１記載のシース型測温抵抗体の製造方法。
【請求項２３】
前記ホルダーブロックを測温抵抗素子、リード線及び結線部に外装した後、前記凹溝部の内側の隙間に絶縁粉末を充填し、その後、前記蓋材をホルダーブロックの前記開放部分に被せて組み合わせる請求項２１又は２２記載のシース型測温抵抗体の製造方法。
【請求項２４】
前記凹溝部が、軸方向にわたりほぼ均一な内面形状を有する半割り状の部分円筒体よりなる先端開放溝であり、前記凹溝部の内面に前記測温抵抗素子が耐熱性の接着材で接着されるとともに、該ホルダーブロックが前記凹溝部より基端側に筒状のベース部を有してなる請求項１９記載のシース型測温抵抗体の製造方法。
【請求項２５】
前記筒体の基端部を前記シースケーブルの先端部に溶接接合した後、該筒体の先端側の開口部より、前記ホルダーブロックの前記凹溝部の内側の隙間に絶縁粉末を充填し、その後、前記開口部を封止する請求項２４記載のシース型測温抵抗体の製造方法。
【発明の詳細な説明】
【技術分野】
【０００１】
本発明は、シースケーブル端部に測温抵抗素子を収納し、素子リード線とケーブル芯線とを結線して構成されるシース型測温抵抗体に係り、特に製造容易で品質も安定し、耐振・耐久性に優れたシース型測温抵抗体に関する。
【背景技術】
【０００２】
この種のシース型測温抵抗体の製造は、従来、特許文献１の第１図、特許文献２の第１図に示すように、シースケーブルの端部から芯線を剥き出し、これに測温抵抗素子の基端側に伸びるリード線の端部を結線し、カバーパイプをシースケーブル端部に溶接して測温抵抗素子を囲み、その内部の隙間に無機絶縁粉末を充填してカバーパイプ先端を溶接封止してなるものや、特許文献１の第２図、特許文献２の第２図に示すように、シースケーブルの端部から絶縁粉末を掻き出した空隙部に測温抵抗素子をリード線が先端側に延びるように逆さまに挿入し、シースケーブルの金属管の開口近くで芯線とリード線を結線し、内部の隙間に絶縁粉末を埋め戻して金属管先端を溶接封止してなるものが提供されている。
【０００３】
前者の構造、すなわちシースケーブルの先端側に接続されるカバーパイプ内に測温抵抗素子を収める構造は、芯線と測温抵抗素子のリード線との結線作業をシースケーブル外部で行える点で作業性は良いが、カバーパイプ内部の隙間に無機絶縁粉末を充填する際、細い芯線が屈曲しやすく、測温抵抗素子の姿勢が安定せず、作業が難しいうえ、充填密度を上げるには限界があり、したがって耐振性の向上にも一定の限界があった。
【０００４】
後者の構造、すなわちシースケーブル先端部の内側に測温抵抗素子を逆さに挿入して結線する構造は、絶縁粉末の埋戻しの作業は前者の構造に比べて作業性がよいが、充填密度は隙間が小さいことから、同じく限界があり、耐振性の向上に一定の限界があるとともに、芯線とリード線の結線作業がシースケーブルの金属管内での作業となり、内径１０ｍｍ以下の細い金属管のケースも多々あることから作業性がきわめて悪く、コスト高や品質のばらつきが生じるという課題があった。
【０００５】
更に、いずれの構造においても、特にディーゼルエンジン等の振動の大きな所で使用する場合、その大きな振動によって測温抵抗素子が内部で動きやすく、リード線や結線部の短絡や断線といった信頼性についての課題があった。また、いずれも絶縁粉末の充填の際に測温抵抗素子等に直接加圧力が加わる為、同じく各線や測温抵抗素子が動いたり、断線が生じる可能性があり、品質が安定しないという課題もあった。
【先行技術文献】
【特許文献】
【０００６】
【特許文献１】特開昭５８−４７２３０号公報
【特許文献２】特開昭５９−２００９３３号公報
【発明の概要】
【発明が解決しようとする課題】
【０００７】
そこで、本発明が前述の状況に鑑み、解決しようとするところは、製造時の作業性が良く、品質を安定させることができ、使用時の振動によっても素子やリード線、芯線、結線部分の破損、断線等を防止でき、耐振性・耐久性を向上させることができるシース型測温抵抗体、これに用いるホルダーブロック、及びシース型測温抵抗体の製造方法を提供する点にある。
【課題を解決するための手段】
【０００８】
本発明は、前述の課題解決のために、シースケーブルの芯線と測温抵抗素子のリード線とを結線することで、シースケーブルの先端部に測温抵抗素子を設けてなるシース型測温抵抗体において、前記シースケーブルの先端から所定長さに剥き出された芯線の端部に、基端方向に突出している測温抵抗素子のリード線の端部を結線し、前記測温抵抗素子が収容される側方に開放された半割り状の凹溝部を備え、且つ前記測温抵抗素子、リード線及びリード線と芯線との結線部に渡る長さを有する絶縁材よりなるホルダーブロックを、当該測温抵抗素子、リード線及び結線部に外装し、前記ホルダーブロックを覆う金属製の筒体を該ホルダーブロックに外装するとともに、該筒体の基端部を前記シースケーブルの先端部に溶接接合し、前記筒体の先端側の開口部を封止してなることを特徴とするシース型測温抵抗体を構成した。
【０００９】
ここで、前記シースケーブルの先端部の内側に、当該先端から所定の深さだけ絶縁粉末を取り除いてなる空隙部を設け、前記測温抵抗素子、リード線及び結線部に外装されるホルダーブロック基端側部分を前記空隙部に挿着したものが好ましい。
【００１０】
また、前記筒体の内周面が、前記ホルダーブロックの外周面にほぼ密着する形状であるものが好ましい。
【００１１】
更に、前記凹溝部に対し、前記測温抵抗素子を少なくとも軸方向に移動不能に係合又は接着したものが好ましい。
【００１２】
特に、前記凹溝部が、前記測温抵抗素子が側方から挿入される素子収容溝と、前記リード線が側方から挿入されるリード線収容溝と、前記結線部が側方から挿入される結線部収容溝と、前記芯線が側方から挿入される基端側が開放された芯線収容溝とが連続的に形成された連通溝からなり、当該凹溝部に対して前記測温抵抗素子、リード線および結線部が軸方向に移動不能に係合されるものが好ましい。
【００１３】
更に、前記凹溝部の側方の開放部分を塞ぎ、当該ホルダーブロックと組み合わせることで前記筒体の内周面に外周面がほぼ密着する円柱形状を為す同じく絶縁材よりなる半割状の蓋材を設けたものが好ましい。
【００１４】
また、前記凹溝部が、軸方向にわたりほぼ均一な内面形状を有する半割り状の部分円筒体よりなる先端開放溝であり、前記凹溝部の内面に前記測温抵抗素子が耐熱性の接着材で接着されるとともに、該ホルダーブロックが前記凹溝部より基端側に筒状のベース部を有したものが好ましい。
【００１５】
また、前記ホルダーブロックが、前記絶縁材の粉末成形体であることが好ましく、特に、前記絶縁材が、窒化ホウ素又は窒化ホウ素と絶縁性金属酸化物との混合物よりなるものが好ましい。
【００１６】
また、前記測温抵抗素子、リード線及び結線部を収容した前記凹溝部の内側の隙間に、絶縁粉末を充填したものが好ましい。
【００１７】
また本発明は、上記したシース型測温抵抗体に用いるホルダーブロックであって、前記測温抵抗素子が収容される側方に開放された半割り状の凹溝部を備え、前記測温抵抗素子、リード線及び結線部に渡る長さを有する、絶縁材よりなるホルダーブロックをも提供する。
【００１８】
ここで、外周面が、前記筒体の内周面にほぼ密着する形状であるものが好ましい。
【００１９】
特に、前記凹溝部が、前記測温抵抗素子が側方から挿入される素子収容溝と、前記リード線が側方から挿入されるリード線収容溝と、前記結線部が側方から挿入される結線部収容溝と、前記芯線が側方から挿入される基端側が開放された芯線収容溝とが連続的に形成された連通溝からなり、当該凹溝部に対して前記測温抵抗素子、リード線および結線部が軸方向に移動不能に係合されるものが好ましい。
【００２０】
或いは、前記凹溝部が、軸方向にわたりほぼ均一な内面形状を有する半割り状の部分円筒体よりなる先端開放溝であり、前記凹溝部の内面に前記測温抵抗素子が耐熱性の接着材で接着されるとともに、前記凹溝部より基端側に筒状のベース部を有してなるものも好ましい。
【００２１】
また、前記絶縁材の粉末成形体であることが好ましく、特に前記絶縁材が、窒化ホウ素又は窒化ホウ素と絶縁性金属酸化物との混合物よりなるものが好ましい。
【００２２】
また本発明は、シースケーブルの芯線と測温抵抗素子のリード線とを結線することで、シースケーブルの先端部に測温抵抗素子を設けてなるシース型測温抵抗体の製造方法において、前記シースケーブルの先端から所定長さに剥き出された芯線の端部に、基端方向に突出している測温抵抗素子のリード線の端部を結線し、前記測温抵抗素子が収容される側方に開放された半割り状の凹溝部を備え、且つ前記測温抵抗素子、リード線及びリード線と芯線との結線部に渡る長さを有する絶縁材よりなるホルダーブロックを、当該測温抵抗素子、リード線及び結線部に外装し、前記ホルダーブロックを覆う金属製の筒体を該ホルダーブロックに外装するとともに、該筒体の基端部を前記シースケーブルの先端部に溶接接合し、前記筒体の先端側の開口部を封止することを特徴とするシース型測温抵抗体の製造方法をも提供する。
【００２３】
ここで、前記シースケーブルの先端部の内側に、当該先端から所定の深さだけ絶縁粉末を取り除いてなる空隙部を設けておき、前記ホルダーブロックを測温抵抗素子、リード線及び結線部に外装する際、該ホルダーブロックの基端側部分を前記空隙部に挿着することが好ましい。
【００２４】
また、前記ホルダーブロックを測温抵抗素子、リード線及び結線部に外装することにより、前記凹溝部に対し前記測温抵抗素子を少なくとも軸方向に移動不能に係合又は接着させることが好ましい。
【００２５】
特に、前記凹溝部が、前記測温抵抗素子が側方から挿入される素子収容溝と、前記リード線が側方から挿入されるリード線収容溝と、前記結線部が側方から挿入される結線部収容溝と、前記芯線が側方から挿入される基端側が開放された芯線収容溝とが連続的に形成された連通溝からなり、前記ホルダーブロックを測温抵抗素子、リード線及び結線部に外装することにより、前記凹溝部に対し前記測温抵抗素子、リード線および結線部を軸方向に移動不能に係合させることが好ましい。
【００２６】
また、前記ホルダーブロックを測温抵抗素子、リード線及び結線部に外装した後、前記凹溝部の側方の開放部分を塞ぎ且つ当該ホルダーブロックと組み合わせることで前記筒体の内周面に外周面がほぼ密着する円柱形状を為す同じく絶縁材よりなる半割状の蓋材を設け、これらホルダーブロック及び蓋材に対して前記筒体を外装することが好ましい。
【００２７】
特に、前記シースケーブルの先端部の内側に、当該先端から所定の深さだけ絶縁粉末を取り除いてなる空隙部を設けておき、前記ホルダーブロックを測温抵抗素子、リード線及び結線部に外装する際、該ホルダーブロックの基端側部分を前記空隙部に挿着し、その後、前記蓋材をホルダーブロックの前記開放部分に被せて組み合わせる際、該蓋材の基端側部分を前記空隙部に挿着し、双方の基端側部分が前記空隙部に挿着された状態で組み合わされたホルダーブロック及び蓋材に対し、前記筒体を外装することが好ましい。
【００２８】
更に、前記ホルダーブロックを測温抵抗素子、リード線及び結線部に外装した後、前記凹溝部の内側の隙間に絶縁粉末を充填し、その後、前記蓋材をホルダーブロックの前記開放部分に被せて組み合わせることが好ましい。
【００２９】
また、前記凹溝部が、軸方向にわたりほぼ均一な内面形状を有する半割り状の部分円筒体よりなる先端開放溝であり、前記凹溝部の内面に前記測温抵抗素子が耐熱性の接着材で接着されるとともに、該ホルダーブロックが前記凹溝部より基端側に筒状のベース部を有してなることが好ましい。
【００３０】
特に、前記筒体の基端部を前記シースケーブルの先端部に溶接接合した後、該筒体の先端側の開口部より、前記ホルダーブロックの前記凹溝部の内側の隙間に絶縁粉末を充填し、その後、前記開口部を封止することが好ましい。
【発明の効果】
【００３１】
以上にしてなる本願発明によれば、ホルダーブロックにより測温抵抗素子、リード線及び結線部が一体的に拘束され、使用時の振動によりこれら素子、リード線、ケーブル芯線が内部で互いに相対的に大きく振動することがなく、各部へのストレス入力が防止される。したがって耐振性、耐久性を大幅に向上させることができる。
【００３２】
製造に関しても、シースケーブル先端から所定長さに剥き出された芯線の端部に、基端方向に突出している測温抵抗素子のリード線の端部を結線するので、シースケーブルの外部で容易に結線を行うことができ、ホルダーブロックの測温抵抗素子、リード線及び結線部への外装や、筒体のホルダーブロックへの外装、シースケーブル先端部への溶接接合、開口部の封止も作業は容易であり、製造コスト上昇を抑え、品質も一定に保つことができる。
【００３３】
また、シースケーブルの先端部の内側に、当該先端から所定の深さだけ絶縁粉末を取り除いてなる空隙部を設け、前記測温抵抗素子、リード線及び結線部に外装されるホルダーブロック基端側部分を前記空隙部に挿着したので、ホルダーブロックの筒体内での姿勢も安定し、耐振性をより向上させることができるとともに、筒体を外装する際の作業性も向上する。
【００３４】
また、筒体の内周面がホルダーブロックの外周面にほぼ密着する形状であれば、ホルダーブロックの筒体内での姿勢をさらに安定、一体化させることができ、耐振性をさらに向上させることができる。
【００３５】
また、ホルダーブロックの凹溝部に対して測温抵抗素子を少なくとも軸方向に移動不能に係合又は接着したので、使用時の測温抵抗素子の相対的な振動、これに伴う各部へのストレスをより確実に防止することができる。
【００３６】
また、ホルダーブロックの凹溝部が、測温抵抗素子が側方から挿入される素子収容溝と、リード線が側方から挿入されるリード線収容溝と、結線部が側方から挿入される結線部収容溝と、芯線が側方から挿入される基端側が開放された芯線収容溝とが連続的に形成された連通溝からなり、当該凹溝部に対して測温抵抗素子、リード線および結線部が軸方向に移動不能に係合されるので、測温抵抗素子、リード線、結線部、芯線の一体化がより確実となり、耐振性をさらに向上させることができる。
【００３７】
また、ホルダーブロックの凹溝部の側方の開放部分を塞ぎ、当該ホルダーブロックと組み合わせることで筒体の内周面に外周面がほぼ密着する円柱形状を為す同じく絶縁材よりなる半割状の蓋材を設けたので、筒体内でのホルダーブロックの姿勢をより安定に保つことができ、耐振性をさらに向上させることができる。
【００３８】
また、ホルダーブロックの凹溝部が、軸方向にわたりほぼ均一な内面形状を有する半割り状の部分円筒体よりなる先端開放溝であり、凹溝部の内面に測温抵抗素子が耐熱性の接着材で接着されるとともに、該ホルダーブロックが凹溝部より基端側に筒状のベース部を有したので、測温抵抗素子の相対移動を防止して優れた耐振性を有するとともに、製造も容易であり、コストを低減することができる。
【００３９】
また、ホルダーブロックが、絶縁材の粉末成形体、特に、窒化ホウ素又は窒化ホウ素と絶縁性金属酸化物との混合物の粉末成形体であるが、窒化ホウ素は粒径２μｍ前後と非常に小さい上に丸みを帯びた形状であり、成形体の粉末間の空洞容積を顕著に少なくすることが可能で、絶縁破壊発生のリスクを低減させることができ、機械的強度も向上できる。
【００４０】
また、測温抵抗素子、リード線及び結線部を収容した凹溝部の内側の隙間に、絶縁粉末を充填したので、従来のカバーパイプ内への充填に比べ、ホルダーブロックが存在するので充填時の圧力で測温抵抗素子等が動いてしまうといったことを回避でき、品質を維持しつつ充填密度を高めることが可能となり、したがって耐振性・耐久性も向上させることができる。
【図面の簡単な説明】
【００４１】
【図１】本発明の第１実施形態に係るシース型測温抵抗体の要部を示す縦断面図。
【図２】（ａ）はホルダーブロックの平面図、（ｂ）はそのＡ−Ａ縦断面図。
【図３】ホルダーブロックに測温抵抗素子を挿着する様子を示す説明斜視図。
【図４】（ａ）〜（ｃ）はシース型測温抵抗体の製造手順を示す説明図。
【図５】（ａ）〜（ｃ）は図４に続く同じくシース型測温抵抗体の製造手順を示す説明図。
【図６】（ａ）はホルダーブロックの変形例を示す平面図、（ｂ）はそのＢ−Ｂ横断面図。
【図７】第２実施形態に係るシース型測温抵抗体の製造手順に沿った説明図。
【発明を実施するための形態】
【００４２】
次に、本発明の実施形態を添付図面に基づき詳細に説明する。
【００４３】
本発明のシース型測温抵抗体１は、図１に示すように、シースケーブル２の芯線２０と測温抵抗素子３のリード線３０とを結線することでシースケーブル先端部２ａに測温抵抗素子３を設けたものであり、シースケーブル２先端から所定長さに剥き出された芯線２０の端部に、基端方向に突出している測温抵抗素子３のリード線３０の端部が結線されるとともに（結線部１０）、当該測温抵抗素子３、リード線３０及び結線部１０に対して絶縁材よりなるホルダーブロック４が外装され、更にホルダーブロック４を覆う金属製の筒体５が外装された構造である。
【００４４】
本発明のシース型測温抵抗体１の構成によれば、測温抵抗素子３（素子本体）、そのリード線３０のみならず、これに結線されるケーブル芯線２０及び結線部１０もホルダーブロック４によってホールドされるため、少なくとも測温抵抗素子３や細いリード線３０、結線部１０にストレスが生じることを防止することができる。さらに、ホルダーブロック４は筒体５内でしっかり保持されるため、芯線２０に対してもストレスが生じることを防止することができる。
【００４５】
本例では、二本のリード線の各々に芯線一本ずつ結線する二芯線式の例を示しているが、本発明はこれに何ら限定されず、三芯線式や四芯線式等の他の方式も可能である。また、素子のリード線も二本以外にダブル素子式として四本のものでもよく、二つ以上の素子を重ねて装着することも可能である。これら種々の方式に対して共通のホルダーブロック４を用いることができるようにするために、ホルダーブロック４の芯線２０や結線部１０等を収容する後述の凹溝部４ｃの寸法は深めに設定されている。
【００４６】
シースケーブル２は、従来から公知のシース型測温抵抗体に用いられているシースケーブルを広く用いることができ、本例ではステンレスの金属管２１内部に複数の芯線２０を平行に収納し、隙間に酸化マグネシウム（ＭｇＯ）などの耐熱性粒子状絶縁物２２を充填したものが用いられている。また、測温抵抗素子３についても、同じく従来から公知の素子を広く用いることができ、本例では白金測温抵抗体のボビン型とした例であるが、薄膜型の素子でもよいし、またサーミスタ測温体素子でもよい。
【００４７】
ホルダーブロック４は、測温抵抗素子３、リード線３０及びリード線３０と芯線２０との結線部１０に渡る長さを有しており、絶縁材である窒化ホウ素、又は窒化ホウ素と絶縁性金属酸化物（酸化マグネシウムなど）との混合物の粉末成形体である。窒化ホウ素は粒径２μｍ前後と非常に小さい上に丸みを帯びた形状をしているので、成形体の粉末間の空洞容積を顕著に少なくすることが可能であり、絶縁破壊発生のリスクを低減させることができ、強度的にも好ましい。
【００４８】
また、ホルダーブロック４は、図２及び図３にも示すように、測温抵抗素子３が収容される側方に開放された半割り状の凹溝部４ｃを備えており、凹溝部４ｃは、具体的には測温抵抗素子３が側方から挿入される素子収容溝４１と、リード線３０が側方から挿入されるリード線収容溝４２と、結線部１０が側方から挿入される結線部収容溝４３と、芯線２０が側方から挿入される基端側が開放された芯線収容溝４４とが連続的に形成された連通溝であり、この凹溝部４ｃに対し、測温抵抗素子３、リード線３０および結線部１０が側方から嵌め込まれ、軸方向に移動不能に係合される。
【００４９】
より詳しくは、図２に示すように凹溝部４ｃを構成する素子収容溝４１、リード線収容溝４２、結線部収容溝４３、芯線収容溝４４の形状は、平面視でそれぞれ収容する測温抵抗素子３、リード線３０、結線部１０、芯線２０と略同じ形状であり、深さは三芯線式や四芯線式、ダブル素子式などに対応できるように深めに設定されている。そして、芯線やリード線よりも太い測温抵抗素子３、結線部１０は、素子収容溝４１、結線部収容溝４３の内部にそれぞれ軸方向に移動不能に係合され、これに伴い、芯線やリード線も移動不能とされている。
【００５０】
本例では、凹溝部４ｃが収容する各部の形状に合わせた平面視の形状とされているが、例えば図６に示すように、少々形状が違っても収容できるように大き目の収容溝４ｃとすることも好ましい。図６の例では、素子収容溝４１と結線部収容溝４３が矩形に形成されており、素子の形状が異なったり、結線部の形状のばらつき等に対応できるように構成されている。
【００５１】
また、凹溝部４ｃは測温抵抗素子３、リード線３０および結線部１０を側方から挿入する連通溝とされているが、測温抵抗素子３のみ収容する開放溝とし、ホルダーブロックのリード線３０や結線部１０に対応する部分はこれらを軸方向の孔に収容する筒状部としてもよい。この場合、後述の第２実施形態のごとく測温抵抗素子３を凹溝部内面に接着してもよいが、凹溝部内面又はこれに連続する筒状部との境に測温抵抗素子３を軸方向に係止する係合段部を設けたものが好ましい。
【００５２】
ホルダーブロック４には、図３にも示すように凹溝部４ｃの側方の開放部分を塞ぎ、当該ホルダーブロック４とともに筒体５の内周面５ｃに外周面がほぼ密着する円柱形状を為す、同じく絶縁材よりなる半割状の蓋材６が組み合わされ、この状態で後述の空隙部２ｓへ基端側が挿着され且つ外側に筒体５が装着される。蓋材６は、ホルダーブロック４と同様、絶縁材である窒化ホウ素、又は窒化ホウ素と絶縁性金属酸化物（酸化マグネシウムなど）との混合物の粉末成形体である。
【００５３】
蓋材６を組み合わせて凹溝部４ｃを塞ぐ際には、図４（ｃ）に示すように測温抵抗素子３、リード線３０及び結線部１０を収容した凹溝部４ｃの内側の隙間に耐熱性の絶縁粉末７が充填される。この絶縁粉末７も、ホルダーブロック４や蓋材６と同様の素材、具体的には窒化ホウ素の粉末、又は窒化ホウ素と絶縁性金属酸化物（酸化マグネシウムなど）との混合粉末とすることが好ましい。また、絶縁粉末７の代わりに耐熱性接着材（セラミック接着材）を隙間に充填してもよい。
【００５４】
シースケーブル２の先端部２ａの内側には、図１及び図４（ａ）に示すように当該先端から所定の深さだけ絶縁粉末を取り除いてなる空隙部２ｓが設けられ、ホルダーブロック４と蓋材６の基端側部分４ｂ、６ｂが空隙部２ｓに挿着されている。そして、この状態のホルダーブロック４及び蓋材６の外側に筒体５が装着され、筒体５の基端部５ｂがシースケーブル２の先端部２ａに付き合わせで溶接接合されている（溶接部１１）。
【００５５】
このようにホルダーブロック４及び蓋材６の基端側部分４ｂ、６ｂがシースケーブル２の先端部２ａの空隙部２ｓに一部挿入された状態で組み付けられるので、外部振動によってもホルダーブロック４、蓋材６、シースケーブル２の一体性が保持され、組み付けの強度が向上するとともに筒体５とシースケーブル２の溶接部１１への負担も小さくなり、耐振性のより優れた構造となるとともに、組み付けや溶接の作業性も容易となる。尚、蓋材６を省略することも勿論可能である。
【００５６】
ホルダーブロック４の外周面４ｄや蓋材６の外周面は、図１に示すように筒体５の内周面５ｃにほぼ密着する形状であり、これら三者の一体性が高められ、振動によってもホルダーブロック４がガタつくことはなく、優れた耐振性及び熱応答性を有する。したがって、絶縁粉末や接着材などの充填も不要で、製造コストも大幅に削減できる。筒体５の先端側の開口部５ａは溶接により封止されている（溶接封止部１２）。
【００５７】
以下、図４及び図５の製造手順に基づき、本発明を更に詳細に説明する。
【００５８】
まず、図４（ａ）に示すように、シースケーブル先端部２ａから絶縁粉末２２を取り除いて芯線２０を露出させるとともに金属管を切断し、露出させた芯線２０を突出させる。金属管は絶縁粉末２２の底部よりも若干長めに切断され、これにより絶縁粉末２２が取り除かれた空隙部２ｓが維持される。空隙部２ｓの深さは３〜４ｍｍに設定される。
【００５９】
そして、このようにシースケーブル２の先端から所定長さに剥き出された芯線２０の端部に、基端方向に突出している測温抵抗素子３のリード線３０の端部を溶接やろう接により結線する（結線部１０）。このようにシースケーブル２の金属管の外で結線を行うことができ、容易かつ確実に結線作業を行うことができる。
【００６０】
次に、ホルダーブロック４を、図４（ｂ）に示すように凹溝部４ｃに測温抵抗素子３、リード線３０、結線部１０及び芯線２０を側方から収納しつつ、基端側部分４ｂをシースケーブル２の空隙部２ｓに挿着する。
【００６１】
この際、空隙部２ｓは蓋材６の基端側部分も挿着できる寸法に設定されており、また挿着するのも基端側部分４ｂだけであるので、ホルダーブロック４を斜めにして空隙部２ｓに容易に挿し込むことができるし、また芯線２０やリード線３０は容易に屈曲するため、これらの可撓性を利用して測温抵抗素子３をホルダーブロックと反対側に逃がしながらホルダーブロック４を空隙部２ｓに軸方向に容易に挿し込むこともできる。
【００６２】
尚、本例では芯線２０の端部に測温抵抗素子のリード線３０を結線してからホルダーブロック４を挿し込んでいるが、結線前の芯線２０だけの状態で先にホルダーブロック４を挿し込んでおき、斜めに曲げる等して凹溝部４ｃの外側に出された芯線２０の端部に、上記リード線３０を結線し、接続された測温抵抗素子３、リード線３０、結線部１０及び芯線を、ホルダーブロック４の凹溝部４ｃ内に収容してなることも好ましい例である。
【００６３】
次に、図４（ｃ）に示すように、凹溝部４ｃの内側に係合された測温抵抗素子３、リード線３０、結線部１０、芯線２０の隙間に、耐熱性の絶縁粉末７が充填されたうえ、当該凹溝部４ｃの開放部分を塞ぐように蓋材６が組み付けられる。
【００６４】
ホルダーブロック４の凹溝部４ｃの各収容溝４１〜４４は、それぞれ収容する測温抵抗素子３、リード線３０及び結線部１０、芯線２０が開放されている溝開口から突出しないように完全に埋没するような深さを有している。したがって、蓋材６の前記開放されている溝開口を塞ぐ面はフラット面に構成され、シースケーブル２の空隙部２ｓにすでにセットされたホルダーブロック４の開放面上を軸方向にスライドさせ、基端側部分６ｂを同じく空隙部２ｓに対して簡単に挿着して組み付けることができる。
【００６５】
次に、図５（ａ）に示すように、双方の基端側部分が前記空隙部に挿着された状態でシースケーブル２の先端部に組み付けられたホルダーブロック４及び蓋材６に対し、筒体５を外装するとともに、図５（ｂ）に示すように該筒体５の基端部をシースケーブル２の先端部に付け合せて全周溶接により接合し（溶接部１１）、次に図５（ｃ）に示すように筒体５の先端側の開口部を溶接により封止（溶接封止部１２）して完成する。
【００６６】
次に、図７に基づき、本発明の第２実施形態を説明する。
【００６７】
本実施形態では、ホルダーブロック４の凹溝部４ｃが、軸方向にわたりほぼ均一な内面形状を有する半割り状の部分円筒体よりなる先端開放溝であって、凹溝部４ｃの内面に測温抵抗素子３が耐熱性接着材（セラミック接着材）で接着されるとともに、該ホルダーブロック４が凹溝部４ｃより基端側に筒状のベース部４０を有し、結線部１０及び芯線２０は当該ベース部４０に収容される構造とされている。
【００６８】
これにより、接着材９が必要であるが凹溝部４ｃ自体の構成はシンプル化でき、シースケーブル先端の空隙部２ｓへの挿着も容易である。また、筒体５を装着した後に、開口部５ａから凹溝部４ｃの内部の隙間に耐熱性絶縁粉末７を充填することが可能となり、作業性が向上する。本例では蓋材が省略されているが、第１実施形態と同様、さらに蓋材を設けてもよい。
【００６９】
筒体５は、図７（ｃ）に示すように、第１実施形態と同様、ホルダーブロック４に装着した後、基端部をシースケーブル２の先端部に溶接接合される（溶接部１１）。先端の封止は、第１実施形態と異なり、ホルダーブロック４の先端側が開放され、絶縁粉末７も存在することから、別途の栓部材８を挿着して開口部５ａに溶接することで封止されている。
【００７０】
以上、本発明の実施形態について説明したが、本発明はこうした実施例に何ら限定されるものではなく、本発明の要旨を逸脱しない範囲において種々なる形態で実施し得ることは勿論である。
【符号の説明】
【００７１】
１  シース型測温抵抗体
２  シースケーブル
２ａ  先端部
２ｓ  空隙部
３  測温抵抗素子
４  ホルダーブロック
４ｂ  基端側部分
４ｃ  凹溝部
４ｄ  外周面
５  筒体
５ａ  開口部
５ｂ  基端部
５ｃ  内周面
６  蓋材
６ｂ  基端側部分
７  絶縁粉末
８  栓部材
９  接着材
１０  結線部
１１  溶接部
１２  溶接封止部
２０  芯線
２１  金属管
２２  絶縁粉末
３０  リード線
４０  ベース部
４１  素子収容溝
４２  リード線収容溝
４３  結線部収容溝
４４  芯線収容溝
【図１】
2015219102.tif 000003
【図２】
2015219102.tif 000004
【図３】
2015219102.tif 000005
【図４】
2015219102.tif 000006
【図５】
2015219102.tif 000007
【図６】
2015219102.tif 000008
【図７】
2015219102.tif 000009